(57)【要約】【課題】筒状フィルターの上部プレートが傾き、天板部排出口から２次側エアを排出する筒状エアベントが傾いていても、無理な力をかけずに支障なく両者を嵌合させることができる、筒状フィルター及び該フィルターを備えた濾過装置を提供する。【解決手段】フィルターハウジングに内装した筒状フィルターの上部プレート開口に、２次側エアの排出する筒状体を揺動し得るように連設し、前記筒状体から２次側エアを、前記筒状体と前記フィルターハウジング天板部排出口との間から１次側エアを排出し得るように構成し、２次側エアの排出する筒状体は、力が掛かると自在に揺動するので、傾いていても筒状エアベントに容易に嵌合し得るようにした。【選択図】        図４
0003141574.tif 000002
【実用新案登録請求の範囲】
【請求項１】
フィルターハウジングに内装した筒状フィルターの上部プレート開口に、２次側エアの排出する筒状体を揺動し得るように連設し、前記筒状体から２次側エアを、前記筒状体と前記フィルターハウジング天板部排出口との間から１次側エアを排出し得るように構成したことを特徴とする筒状フィルター。
【請求項２】
前記開口に筒状体を連設し、該筒状体に２次側エアの排出する筒状体をO−リングを介して嵌合連設する請求項１記載の筒状フィルター。
【請求項３】
前記２次側エアの排出する筒状体の下部外周にリング状凸条を形成し、該リング状凸条に凹条溝を形成し、該凹条溝にO−リングを嵌合保持する請求項２記載の筒状フィルター。
【請求項４】
前記開口と前記２次側エアの排出する筒状体とを、ベローズジョイントで連結する請求項１又は２記載の筒状フィルター。
【請求項５】
前記筒状フィルターは、所定の大きさの筒状コアを複数連結することにより形成される請求項１〜４のいずれかに記載の筒状フィルター。
【請求項６】
筒状フィルターを内装したフィルターハウジング天板部排出口に、フィルターの１次側エア排出口と２次側エア排出口とを配置した濾過装置において、前記筒状フィルターの上部プレートの開口に、２次側エアの排出する筒状体を揺動し得るように連設し、該筒状体から２次側エアを、該筒状体と前記フィルターハウジング天板部排出口との間から１次側エアを排出し得るように構成したことを特徴とする濾過装置。
【請求項７】
前記フィルターハウジング天板部筒状排出口に、セパレーターを嵌合し、該セパレーターの２次側エア排出路となる筒状エアベントに、前記２次側エアの排出する筒状体を嵌合し、前記天板部筒状排出口と前記筒状エアベントの間のセパレーターの１次側エア排出口から１次側エアが排出し得るように構成されている請求項６に記載の濾過装置。
【請求項８】
前記フィルターハウジングの天板が、皿鏡状である請求項６又は７に記載の濾過装置。
【考案の詳細な説明】
【技術分野】
【０００１】
この考案は、フィルターの１次側と２次側のエアを残さずに排出できる筒状フィルター及び該フィルターを具備したエアベント付き濾過装置に関する。
【背景技術】
【０００２】
塗料等の濾過においては、濾過フィルターから出てくるエアが、塗布の不良原因の一因となっている。即ち、濾過フィルターの濾材である不織布・膜などの中には、多くの気泡(エア）が含まれているが、この気泡がフィルターを通る濾過液に内包され、濾過フィルター濾材の２次側にあるコア内部に溜まり、これが少しずつハウジングの外に出て行くため、塗布膜に気泡由来の不良が生じるものである。
【０００３】
従来、ハウジングの１次側及び２次側のエアを排出するには、図１に示すように、皿鏡形状のハウジング天板部の中央頂点に２次側エア排出管を設け、天板部の側部に１次側エア排出管を設け、１次側エアと２次側エアとを、この別の排出管から排出していた。即ち、2軸のエアベントにより、１次側エアと２次側エアとが別々に排出されていた。
【０００４】
しかしながら、この装置では、図２に示すように、ハウジングが１次側エア排出口側に傾いている場合は、その反対側のハウジング天板部が１次側エア排出口より高くなるためエアが集まり、エアが十分排出されずに抜き残りが生じる問題があった。ハウジング天板の形状が平板の場合抜き残りは顕著であるが、皿鏡状であっても抜き残りは発生する。図１のように、ハウジングが直立している場合であっても、天板が皿鏡状の場合は少量の抜き残りは生じる。天板の形状が平板の場合は、完全に直立であれば抜き残りは生じないが、設置すると若干傾くので抜き残りが生じることと、耐圧性に優れるなどの理由で皿鏡状の天板が多く使用されているので、この抜き残りの問題は大きな問題であった。
【０００５】
このような欠点を解消するため、本出願人は、図３に示すように、筒状フィルターを内装したフィルターハウジング天板部排出口に、前記筒状フィルターの２次側エア排出口とフィルターの１次側エア排出口とを、同一の軸上（同一の排出管）に配置した濾過装置を開発し、先に特許出願した（特許文献１参照）。
【特許文献１】特許公開２００６−２６３６３９号
【考案の開示】
【考案が解決しようとする課題】
【０００６】
上記濾過装置は、図３に示すように、ハウジングが直立していても、傾いていても、エア溜りは生じないという従来の濾過装置には全く見られない画期的な効果を奏する。しかしながら、セパレーターと上部O−リングプレートとを接続するには、細いパイプ同士を差し込まなければならないので、いずれかが傾いていると差し込むことができない場合が生じた。特に、筒状フィルター１の上部プレート（上部O−リングプレート）２が若干傾いているため２次側エアを排出する筒状体（エアベントパイプ）３が傾斜する場合が多く生じるが、これを図３に示すセパレーター４の筒状エアベント５に嵌合させようとすると、嵌合できないか、嵌合できても無理な力がかかるので、筒状体破壊の危険の問題が生じることが判明した。
【０００７】
筒状フィルター１の上部プレート２接合面を常に水平に形成できれば良いが、多くは所定の大きさの筒状コア（例えば１０インチ体）を複数接合して所定長さの筒状フィルターを形成しているので、これを複数接合することによって、上部プレート接合面が若干水平より傾く場合はどうしても生じる。
【０００８】
この考案は、このような点に着目してなされたものであり、筒状フィルター１の上部プレート２が傾き、筒状エアベント５が傾いていても、無理な力をかけずに支障なく両者を嵌合させることができる、筒状フィルター及び該フィルターを備えた濾過装置を提供することを目的とする。
【課題を解決するための手段】
【０００９】
上記目的に沿う本考案の筒状フィルターは、フィルターハウジングに内装した筒状フィルターの上部プレートの開口に、２次側エアの排出する筒状体を揺動し得るように連設し、前記筒状体から２次側エアを、前記筒状体と前記フィルターハウジング天板部排出口との間から１次側エアを排出し得るように構成したことを特徴とする（請求項１）。尚、上部プレートの開口は、天板部排出口との対向位置、通常は上部プレート中央、に設けるのが好ましい。
【００１０】
前記開口に筒状体を連設し、該筒状体に２次側エアの排出する筒状体をO−リングを介して嵌合するのが好ましく（請求項２）、前記２次側エアの排出する筒状体の下部外周にリング状凸条を形成し、該リング状凸条に凹条溝を形成し、該凹条溝にO−リングを嵌合保持するのが好ましい（請求項３）。前記開口と前記２次側エアの排出する筒状体とを、ベローズジョイントで連結しても良い（請求項４）。前記筒状フィルターは、所定の大きさの筒状フィルターを複数連結することにより形成されたもの（請求項５）が、上部プレートが水平に形成し難いので、特に本考案のように構成するのに適している。
【００１１】
また本考案の濾過装置は、筒状フィルターを内装したフィルターハウジング天板部排出口に、前記筒状フィルターの１次側エア排出口と２次側エア排出口とを配置した濾過装置において、前記筒状フィルターの上部プレートの中央開口に、２次側エアの排出する筒状体を揺動し得るように連設し、前記筒状体から２次側エアを、前記筒状体と前記フィルターハウジング天板部排出口との間から１次側エアを排出し得るように構成したことを特徴とする（請求項６）。
【００１２】
前記フィルターハウジング天板部排出口に、セパレーターを嵌合し、該セパレーターの２次側エア排出路となる筒状エアベントに、前記２次側エアの排出する筒状体を嵌合し、前記天板部筒状排出口と前記筒状エアベントの間から１次側エアが排出し得るように構成するのが好ましい（請求項７）。
【００１３】
前記フィルターハウジングの天板が、皿鏡状である場合には、特にエアの抜き残りが問題となるので、効果的である（請求項８）。
【考案の効果】
【００１４】
本考案によれば、筒状フィルターの２次側エアを排出する筒状体と筒状エアベントのいずれが傾いていても、２次側エアの排出する筒状体を揺動し得るように連設しているので、筒状エアベントを２次側エアを排出する筒状体に、無理な力がかからずに、嵌合させることができる。その結果、ハウジングが直立していても、傾いていても、エア溜りは生じないと共に、支障なく接続できしかも破壊の心配のない濾過装置を提供できる。
【考案を実施するための最良の形態】
【００１５】
次に本考案の実施の形態を、図面に基づいて説明する。
【００１６】
図4は、本考案の一実施例を示すものであり、多孔筒体からなるコア6外周にはフィルター濾材7が巻き付けられ、上端と下端には、それぞれ上部プレート（上部O―リングプレート）2´と下部O−リングプレート８とが固定されて筒状フィルター１´を形成し、該筒状フィルター１´はフィルターハウジング９に内装されている。
【００１７】
上部プレート（上部O―リングプレート）2´の中央開口周縁には短筒状体１０が立設し、該短筒状体１０には、O−リングｅを介して、エアベントパイプ１２が嵌合している。エアベントパイプ１２の下端は、ストッパー１３に形成され、嵌合部は、断面半円状のリング状凸条１４に形成され、リング状凸条１４の頂点は、リング状凹状溝に形成され、該凹状溝にO−リングｅが嵌着している。
フィルターハウジング９の天板部排出管(ベントノズル部)１５には、セパレーター４がO−リングｃを介して嵌合装着されている。セパレーター４には、２次側エア排出口１６と１次側エア排出口１７とが、同一軸上(同一排出管内)に配置されている。
【００１８】
上部プレート2´開口の短筒状体１０と、該短筒状体１０に嵌合したエアベントパイプ１２のシール部とで、エアベントパイプ１２を揺動し得るように連結するフレキシブルジョイントを形成している。
上記実施例では上部O−リングプレート２´は、図４で右側に５°傾斜しているが、エアベントパイプ１２が揺動し得るように連結されているので、エアベントパイプ１２を垂直状態として、セパレーター４の２次側エアを排出する筒状体（筒状エアベント）５に容易に嵌合させることができる。
【００１９】
上記実施例では、エアベントパイプ１２の上端外周に装着したO−リングｄを介して、エアベントパイプ１２を２次側エアを排出する筒状体５に嵌合させている。図３に示すように、筒状エアベント（筒状体）５外周に装着したO−リングｂを介して、エアベントパイプを外嵌させても差し支えない。尚、図示していないが、２次側エア排出口１６及び１次側エア排出口１７には、エアベントプラグが螺合され、エアベントプラグを緩めてエアを排出するようになっている。
【００２０】
図５は、本考案の他の実施例を示すものであり、一端でエアベントパイプ１２´を固定したベローズジョイント１８を、上部O−リングプレート２´の中央開口周縁に嵌合固定した例を示す。上部O−リングプレート２´は、図５で右側に５°傾斜しているが、エアベントパイプ１２´が揺動し得るように連結されているので、エアベントパイプ１２´を垂直状態として、セパレーター４の２次側エアを排出する筒状エアベント（筒状体）５に容易に嵌合させることができる。
【００２１】
ベローズジョイント１８の固定は、ベローズジョイント１８下端を上部O−リングプレート２´開口周縁に固定しても、開口周縁に立設した短筒状体に嵌合固定しても良い。また、ベローズジョイント１８とエアベントパイプ１２´及び／又は上部O−リングプレート２´とは、別体であっても一体であっても差し支えない。
エアベントパイプ１２´を揺動し得るように形成するには、ゴムのような弾性体からパイプを形成し、これを上部プレート開口に、嵌合固定のような適当な手段で固定しても良い。
【００２２】
上記実施例においては、１次側エア排出口１７と2次側エア排出口１６を形成したセパレーター４を使用しているが、２次側エアの排出する筒状体を天板部排出口に嵌合し、該筒状体を緩めて、天板部排出口と筒状体との間から１次側エアを排出するようにしても差し支えない。
次に、上記のように構成された濾過装置のエアの排出方法を図４に基づいて説明する。
1次側エアを排出する時は、2次側エアベントプラグ(図示省略)を締め込んだまま、1次側エアベントプラグ(図示省略)のみを緩めて1次側のエアを排出する。排出が終わったら、１次側エアベントプラグを元のように締め込む。
【００２３】
２次側エアを排出する時は、１次側エアベントプラグを締め込んだまま、２次側エアベントプラグのみを緩めて２次側のエアを排出する。排出が終わったら、２次側エアベントプラグを元のように締め込む。このようにして、１次側及び2次側のエアを簡単に排出することができる。
【００２４】
図４及び図５に示す濾過装置のエアの排出は、セパレーター４の１次側エア排出口１７及び2次側エア排出口１６に、ボールバルブ等の配管を接続することによってエア排出の操作をすることが出来る。セパレーターに接続したボールバルブ等の操作をすることによって、１次側から取り出したエアを含んだ液体を、再度１次側のタンク等へ戻すことが出来る。また、２次側から取り出したエアの排出や濾過液のサンプリングをすることもできる。
【図面の簡単な説明】
【００２５】
【図１】従来の濾過装置を示す半断面図である。
【図２】従来の濾過装置を１０°傾けた状態を示す半断面図である。
【図３】従来の濾過装置を示す断面図である。
【図４】本発明の実施例を示す断面図である。
【図５】本発明の他の実施例を示す半断面図である。
【符号の説明】
【００２６】
１，１´………筒状フィルター
２，２´………上部プレート（上部Ｏ―リングプレート）
３………２次側エアを排出する筒状体
４………セパレーター
５………筒状エアベント(筒状体)
６………多孔筒体からなるコア
７………フィルター濾材
８………下部プレート（下部Ｏ−リングプレート）
９………フィルターハウジング
１０………短筒状体
１１………O−リング
１２，１２´………エアベントパイプ（２次側エアを排出する筒状体）
１４………リング状凸条
１５………天板部排出管（天板部排出口）
１６………２次側エア排出口
１７………１次側エア排出口
１８………ベローズジョイント
【図１】
0003141574.tif 000003
【図２】
0003141574.tif 000004
【図３】
0003141574.tif 000005
【図４】
0003141574.tif 000006
【図５】
0003141574.tif 000007